(57)【要約】【課題】記録メディアに記録されたデータを転送して記録する際に、装置の温度上昇を抑えるとともに、消費電力を低減すること。【解決手段】光ディスク４００にデータを記録する光ディスクドライブ部２００と、  任意の記録メディアに記録されたデータを光ディスク４００に記録するため光ディスクドライブ部２００に転送するホスト部３００と、を備え、光ディスクドライブ部２００は、ホスト部３００から転送されたデータを間欠的に光ディスク４００に記録する。【選択図】図４
2009187629.tif 000002
【特許請求の範囲】
【請求項１】
ディスク状記録媒体にデータを記録するディスク記録部と、
任意の記録メディアに記録されたデータを前記ディスク状記録媒体に記録するため前記ディスク記録部に転送するホスト部と、を備え、
前記ディスク記録部は、前記ホスト部から転送されたデータを間欠的に前記ディスク状記録媒体に記録することを特徴とする、記録装置。
【請求項２】
前記ディスク記録部は、前記ディスク記録部へのデータの転送が完了した後、所定の遅延時間の経過後に前記ホスト部に対して転送完了通知を送信する転送完了通知送信部を備え、
前記ホスト部は、前記転送完了通知を受けた後、前記ディスク記録部に次のデータを転送することを特徴とする、請求項１に記載の記録装置。
【請求項３】
前記転送完了通知送信部は、前記ホスト部から前記ディスク記録部へのデータの転送速度又はデータ転送量に応じて前記遅延時間を可変することを特徴とする、請求項２に記載の記録装置。
【請求項４】
前記ホスト部は、複数の記録メディアに記録されたデータを前記ディスク記録部へ転送し、
前記転送完了通知送信部は、前記記録メディアの種類に応じて前記遅延時間を可変することを特徴とする、請求項２に記載の記録装置。
【請求項５】
任意の記録メディアに記録されたデータをディスク状記録媒体に記録する方法であって、
前記データを前記ディスク状記録媒体に転送するステップと、
前記ディスク状記録媒体へ前記データを記録した後、所定の遅延時間の経過後に転送完了通知を発生させるステップと、
前記転送完了通知の発生を受けて前記ディスク状記録媒体に次のデータを転送するステップと、
を備えることを特徴とする、記録方法。
【発明の詳細な説明】
【技術分野】
【０００１】
本発明は、記録装置及び記録方法に関する。
【背景技術】
【０００２】
ディスク記録媒体を使用する記録再生装置として、ハードディスクドライブ、及び光ディスクドライブ等の装置が知られている。近年では、これらの記録再生装置は、パーソナルコンピューター等に接続して使用する用途に加え、ビデオレコーダーやビデオカメラ等の記録装置としての用途が拡大している。特にビデオカメラ用記録装置として用いられる場合、装置が携帯機器であることから、バッテリー持続時間を確保するために低消費電力で動作することが重要となる。
【０００３】
低消費電力を実現するための手法の一つとして、バッファメモリへのデータ蓄積量に応じて、装置を所定の時間休止状態に遷移させる間欠駆動制御が用いられる。間欠駆動制御を行うためには、記録再生しようとするデータ転送レートと、ディスク記録媒体への記録再生速度に充分な差があることが必要である。
【０００４】
従って、例えば撮影した画像データをリアルタイムで記録するリアルタイム記録再生時においては、データ転送レートがディスク記録再生速度より充分遅い状態となるよう設計することで間欠駆動制御が可能である。このような制御によれば、消費電力を低減するとともに、装置の筐体内の温度上昇を抑えることが可能である。
【０００５】
また、下記の特許文献１には、リアルタイムの映像処理、光ディスクを使用したファイナライズ処理において、装置内の温度を検出し、所定の温度以上になったときに、データ転送を停止することでディスク装置を休止させ、間欠記録動作を行なう手法が記載されている。
【０００６】
【特許文献１】特開２００３−２８１７３３号公報
【発明の開示】
【発明が解決しようとする課題】
【０００７】
しかしながら、上記公報に記載されている方法では、ハードディスク、メモリスティック等の他の記録媒体からディスク記録媒体へのデータ転送を行う場合など、データ転送レートと記録速度が同等となり得る状況は想定していない。このため、このような状況下においては、記録が長時間連続することにより、特に装置の筐体の温度上昇が問題となり、また、消費電力の増大によりバッテリーの寿命が短くなるという問題も生じる。
【０００８】
特に、近時においては、例えば携帯用のビデオカメラ等の記録装置において、光ディスク用のドライブと、ハードディスク、メモリスティック等の他の記録媒体のドライブを共に搭載しているものが出現している。このような装置においては、異なる記録媒体間でデータ転送を行う際に、データの読出し速度と書き込み速度が同等になるため、記録が連続して行われることとなる。この場合、連続記録により消費電力が増大するとともに、装置の筐体内の温度が上昇するという問題が発生する。特に、小型化された筐体では、温度上昇が顕著になり、装置の正常な動作に支障が生じる場合がある。
【０００９】
そこで、本発明は、上記問題に鑑みてなされたものであり、本発明の目的とするところは、記録メディアに記録されたデータを転送して記録する際に、装置の温度上昇を抑えるとともに、消費電力を低減することが可能な、新規かつ改良された記録装置及び記録方法を提供することにある。
【課題を解決するための手段】
【００１０】
上記課題を解決するために、本発明のある観点によれば、ディスク状記録媒体にデータを記録するディスク記録部と、任意の記録メディアに記録されたデータを前記ディスク状記録媒体に記録するため前記ディスク記録部に転送するホスト部と、を備え、前記ディスク記録部は、前記ホスト部から転送されたデータを間欠的に前記ディスク状記録媒体に記録する記録装置が提供される。
【００１１】
上記構成によれば、ディスク記録部によりディスク状記録媒体にデータが記録され、ホスト部により任意の記録メディアに記録されたデータがディスク状記録媒体に記録するためディスク記録部に転送される。そして、ディスク記録部により、ホスト部から転送されたデータが間欠的にディスク状記録媒体に記録される。従って、ホスト部からの転送レートとディスク記録部による記録レートが比較的近い場合であっても、間欠記録を行うことが可能となり、装置の温度上昇を抑えるとともに消費電力を低減することが可能となる。
【００１２】
また、前記ディスク記録部は、前記ディスク記録部へのデータの転送が完了した後、所定の遅延時間の経過後に前記ホスト部に対して転送完了通知を送信する転送完了通知送信部を備え、前記ホスト部は、前記転送完了通知を受けた後、前記ディスク記録部に次のデータを転送するものであってもよい。かかる構成によれば、ディスク記録部へのデータの転送が完了した後、所定の遅延時間の経過後にホスト部に対して転送完了通知が送信され、転送完了通知を受けた後に次のデータが転送されるため、ディスク記録部側で転送データの受け入れを制限することが可能となり、間欠記録を確実に行うことが可能となる。
【００１３】
また、前記転送完了通知送信部は、前記ホスト部から前記ディスク記録部へのデータの転送速度又はデータ転送量に応じて前記遅延時間を可変するものであってもよい。かかる構成によれば、データの転送速度又はデータ転送量に応じて遅延時間を可変するため、データの転送速度又はデータ転送量に応じて実効的な転送レートを設定することができる。
【００１４】
また、前記ホスト部は、複数の記録メディアに記録されたデータを前記ディスク記録部へ転送し、前記転送完了通知送信部は、前記記録メディアの種類に応じて前記遅延時間を可変するものであってもよい。かかる構成によれば、各記録メディア毎の転送レートに応じて、ホスト部からディスク記録部への転送レートを設定することが可能となる。
【００１５】
また、上記課題を解決するために、本発明の別の観点によれば、任意の記録メディアに記録されたデータをディスク状記録媒体に記録する方法であって、前記データを前記ディスク状記録媒体に転送するステップと、前記ディスク状記録媒体へ前記データを記録した後、所定の遅延時間の経過後に転送完了通知を発生させるステップと、前記転送完了通知の発生を受けて前記ディスク状記録媒体に次のデータを転送するステップと、を備える記録方法が提供される。
【００１６】
上記構成によれば、任意の記録メディアに記録されたデータをディスク状記録媒体に記録する方法において、任意の記録メディアに記録されたデータがディスク状記録媒体に転送され、ディスク状記録媒体へデータが記録された後、所定の遅延時間の経過後に転送完了通知が発生され、転送完了通知の発生を受けてディスク状記録媒体に次のデータが転送される。従って、ディスク状記録媒体への転送データの受け入れを制限することが可能となり、転送レートとディスク状記録媒体への記録レートが比較的近い場合であっても、間欠記録を行うことが可能となる。これにより、装置の温度上昇を抑えるとともに消費電力を低減することが可能となる。
【発明の効果】
【００１７】
本発明によれば、記録メディアに記録されたデータを転送して記録する際に、装置の温度上昇を抑えるとともに、消費電力を低減することが可能となる。
【発明を実施するための最良の形態】
【００１８】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００１９】
図１は、本発明の一実施形態に係る記録再生装置１００の構成を示すブロック図である。記録再生装置１００は、例えば撮像した画像を記録するカムコーダ等の装置であり、図１に示すように、光ディスクドライブ部２００とホスト部３００とを備える。光ディスクドライブ部２００は、光ディスク４００へのデータの書き込み（記録）、及び光ディスク４００からのデータの読出し（再生）を行う。また、記録再生装置１００は、撮像素子５００と、被写体像を撮像素子５００の撮像面に結像させる光学系（不図示）を備えている。更に、記録再生装置１００は、画像データを記録するためのハードディスクのドライブ６００、メモリスティックのドライブ７００など、各種記録メディアのドライブを備えている。
【００２０】
光ディスクドライブ部２００は、光ピックアップ２０２、スピンドルモータ２０６、スレッドモータ２０８、サーボ制御部２１０、復号信号処理部２１２、変調信号処理部２１４、バッファコントローラ２１６、バッファメモリ２１８、マイクロコンピュータ２２０、ホストインタフェース(Host  I/F)２２２を備える。
【００２１】
データ記録時には、記録データが変調信号処理部２１４に送られる。変調信号処理部２１４では、光ディスク４００に記録する際に変調処理が行われる。例えば、ブルーレイ(Blu-ray)のディスクの場合、１７変調が順に施される。これらの変調されたデータに応じてレーザが変調され、ピックアップ２０２によりレーザを照射することで、光ディスク４００上にデータが記録される。
【００２２】
また、データ再生時には、まず、ピックアップ２０２によって記録データに相当する光強度信号（ＲＦ信号）が読取られる。読取られた信号は、波形整形後に復号信号処理部２１２によって２値化され、デジタルの０，１データに変換される。２値化された信号は、バッファコントローラ２１６によりバッファメモリ２１８に蓄積される。
【００２３】
マイクロコンピュータ２２０は、制御信号をサーボ回路２１０に与える。光ディスク４００を駆動するためのスピンドルモータ２０６、トラッキングを制御するためのスレッドモータ２０８、光ディスク４００に対するピックアップ２０２の位置を制御するためのアクチュエータ等は、サーボ回路２１０により制御される。従って、光ディスクドライブ部２００では、マイクロコンピュータ２２０の制御により、光ディスク４００上の所望の位置にデータを書き込んだり、光ディスク４００上の所望の位置からデータを読取って再生することができる。また、マイクロコンピュータ２２０は、バッファコントローラ２１６に制御信号を送り、バッファメモリ２１８内のデータの送受信を制御する。
【００２４】
ホスト部３００は、ホストコントローラ３０２、およびバッファメモリ３０４を備える。ホストコントローラ３０２には、撮像素子５００、ハードディスクドライブ６００、又はメモリスティックのドライブ７００から画像データ等のデータが送られる。ホストコントローラ３０２は、ドライブ６００，７００から送られたデータを光ディスクドライブ部２００へ転送する際の制御を実行する。
【００２５】
光ディスクドライブ部２００のホストインタフェース２２２と、ホスト部３００のホストコントローラ３０２とは、例えばＡＴＡインターフェイスで接続されている。上述した撮像素子５００、ドライブ６００，７００等から送られたデータは、ホストコントローラ３０２により適宜バッファメモリ３０４に蓄積される。また、撮像素子５００、ドライブ６００，７００等から送られたデータは、光ディスク４００に記録するため、ホストコントローラ３０２により光ディスクドライブ部２００へ送られる。光ディスクドライブ部２００に送られたデータは、適宜バッファメモリ２１８に格納され、マイクロコンピュータ２２０の制御に応じて光ディスク４００へ記録される。
【００２６】
マイクロコンピュータ２２０は、光ディスクドライブ部２００のバッファメモリ２１８の残量に応じて光ディスク４００に対する記録の実行と記録の停止を制御する。また、マイクロコンピュータ２２０は、後述する転送完了通知をホストコントローラ３０２へ送信することで光ディスク４００に対する記録の実行と記録の停止を制御する。マイクロコンピュータ２２０は、バッファメモリ２１８の残量が減少した場合、若しくは残量が０になった場合に、記録動作を停止させ、その直後にサーボ制御部２１０や変調信号処理部２１４を停止状態に移行させることで、記録再生装置１００の消費電力を低減するよう制御を行なっている。
【００２７】
撮像素子５００で撮像したデータを光ディスク４００にリアルタイムで記録する場合（リアルタイム記録時）は、ホスト部３００が撮像素子５００から受け取るデータのレートに対して、光ディスクドライブ部２００の記録速度は十分に速いものとなる。このため、光ディスクドライブ部２００は、間欠記録を行うことで、消費電力を低減する動作を行う。具体的には、ホストコントローラ３０２は、撮像素子５００から常に一定の速度でデータを受け取るとともに、バッファメモリ３０４に一定のデータ量が蓄積されるまでの間は、光ディスクドライブ部２００へのデータ転送を行なわない。バッファメモリ３０４に所定量のデータが蓄積されると、ホストコントローラ３０２は光ディスクドライブ部２００へデータの転送を開始し、光ディスクドライブ部２００は受け取ったデータを光ディスク４００に記録する。このとき、光ディスク４００への記録レートが高いため、光ディスクドライブ部２００は、ホスト部３００がデータを受け取る速度よりも早く、受け取ったデータを記録完了することができ、記録動作を休止する期間を確保することが可能である。
【００２８】
以上のようなリアルタイム記録とは別に、記録再生装置１００は、ドライブ６００，７００に記録されたデータを光ディスクドライブ部２００に転送して、光ディスク４００に記録することができる（非リアルタイム記録）。この場合、ホスト部３００がドライブ６００，７００からデータを受け取る速度は、ホスト部３００が撮像素子５００からデータを受け取る速度よりも速くなる。このため、ホスト部３００がドライブ６００，７００からデータを受け取る速度と光ディスクドライブ部２００の記録速度は比較的近い値になる。このため、非リアルタイム記録時には、バッファメモリ２１８が飽和してしまうことを防ぐため、ホスト部３００から送られたデータを連続して光ディスク４００に記録しなければならない状況が発生する。このため、連続記録により記録再生装置１００の温度が上昇するとともに、消費電力が増大してしまう。
【００２９】
図２は、非リアルタイム記録時における、データ量と時間との関係を示す特性図であって、横軸は時間を、図２中の左側の縦軸はデータ量(Mbyte)を示している。図２中、実線で示す特性は、ドライブ５００、６００からホスト部３００に送られたデータ量を示している。また、破線で示す特性は、ホスト部３００から光ディスクドライブ部２００へ送られたデータ量を示している。また、一点鎖線で示す特性は、バッファメモリ２１８に蓄積されたデータ量を示している。
【００３０】
また、図２において、二点鎖線で示す特性は、光ディスク４００への記録が行われているか否かを示している。二点鎖線で示す特性の値が図２中の右側の縦軸で０の場合は、光ディスク４００への記録が行われていない状態であり、二点鎖線で示す特性の値が図２中の右側の縦軸で１の場合は、光ディスク４００への記録が行われている状態である。
【００３１】
非リアルタイム記録時では、上述のように、ホスト部３００がデータを受け取る速度と光ディスクドライブ部２００の記録速度が比較的近い値になる。このため、図２に示すように、ドライブ５００，６００からホスト部３００送られるデータ量（実線）の傾きと、ホスト部３００から光ディスクドライブ部２００へ送られるデータ量（破線）の傾きとは、比較的近い値になる。従って、ホスト部３００から光ディスクドライブ部２００へのデータ転送を開始した時刻ｔ１の直後に光ディスク４００への記録を開始すると、ホスト部３００から光ディスクドライブ部２００へのデータ転送が一旦終了した（時刻ｔ２）後においても、バッファメモリ２１８の残量を減らすために光ディスク４００への記録が行われる。このため、図２中に二点鎖線の特性で示すように、非リアルタイム記録時には、連続して光ディスク４００への記録が行われてしまう状況が発生する。
【００３２】
このため、本実施形態では、ドライブ５００、６００から光ディスク４００へのデータ転送の場合のように、記録再生のリアルタイム性を必要としない場合には、光ディスクドライブ部２００側でデータの受け入れを制限することにより、ホスト部３００から光ディスクドライブ部２００へのデータ転送レートを光ディスク４００への記録速度に対して適度に低く保つ制御を行う。これにより、光ディスクドライブ部２００に送られるデータ量が制限されるため、光ディスクドライブ部２００の間欠駆動が可能となり、温度上昇を抑えるとともに消費電力の増大を抑えることが可能となる。
【００３３】
以下、図３〜図５に基づいて、光ディスクドライブ部２００側でホスト部３００からのデータの受け入れを制限する手法を詳細に説明する。ここで、図３及び図４は、マイクロコンピュータ２２０からホストコントローラ３０２へ送られるコマンド実行の信号波形（コマンド実行）、ホストコントローラ３０２によるデータ転送実行の信号波形（データ転送）、及びホスト部３００から光ディスクドライブ部２００へのデータ転送量の積算値をそれぞれ示している。また、図３はリアルタイム記録時を示しており、図４は非リアルタイム記録時を示している。
【００３４】
先ず、図３に基づいて、リアルタイム記録時における光ディスク４００へのデータ記録方法を説明する。図３において、コマンド実行の信号波形は、ホスト部３００に対して光ディスクドライブ部２００へのデータ転送を要求するコマンドを示している。このコマンドは光ディスクドライブ部２００のマイクロコンピュータ２２０からホストンターフェース２２２を介してホスト部２００のホストコントローラ３０２へ送られる。そして、コマンド実行の信号波形がハイ［１］になると、ホスト部３００に対してデータ転送の実行が指示される。また、コマンド実行の信号波形がロー［０］になると、ホスト部３００に対してデータ転送が完了したことが通知される。このような、ロー［０］に設定されたコマンド実行の信号波形は、ホスト部３００に対する転送完了通知としての役割を果たす。
【００３５】
図３に示すデータ転送の信号波形は、ホストコントローラ３０２による光ディスクドライブ部２００へのデータ転送の実行命令を示している。ホストコントローラ３０２が光ディスクドライブ部２００からコマンド実行の指令を受けると、図３中のデータ転送の信号波形がハイになり、ホストコントローラ３０２により光ディスクドライブ部２００へのデータ転送が実行される。
【００３６】
図３に示すように、リアルタイム記録時においては、コマンド実行の信号波形は、１回のコマンドが終了した時点でローに設定され、同時に次のデータ転送を実行するためにハイに設定される。これにより、連続的なデータ転送が実行され、光ディスク４００へのデータの書き込みが連続して行われる。従って、図３に示すように、データ転送積算量は、時間の経過とともに線形に増加する。なお、図２の説明では、二点鎖線で示す特性により光ディスクドライブ部２００への転送が連続して行われる様子を便宜的に示したが、ホストコントローラ３０２による転送実行命令は一定のデータ量を指定して発行され、ある単位、例えば３２Kbyteや６４Kbyte単位に分割して転送実行命令が出される。
【００３７】
一方、非リアルタイム記録時には、図４に示すように、１回のデータ転送が終了してから所定の遅延時間Ｔが経過した後に、マイクロコンピュータ２２０によりコマンド実行の信号波形がローに設定される。これにより、データ転送の完了通知は、転送終了から時間Ｔの遅れをもってホストコントローラ３０２に通知される。これにより、データ転送完了後、コマンド実行の信号波形がローになるまでの時間Ｔの間はホスト部３００から光ディスクドライブ部２００へデータが転送されないことになり、光ディスクドライブ部２００側でデータの受け入れを制限することが可能となる。これにより、光ディスクドライブ装置２００は、間欠的に転送されたデータを順次に記録することで、光ディスク４００への間欠記録を実現することが可能となる。このような光ディスクドライブ部へのデータ転送方法、光ディスクドライブ部におけるデータ記録方法は、光ディスクドライブ部２００のマイクロコンピュータ２２０で遅延時間Ｔを設定するのみで実現することができ、ホスト部３００側に特別な構成は不要である。
【００３８】
コマンド実行の信号波形は、ローになった直後に再びハイになり、リアルタイム記録時と同様に、次のデータ転送のコマンドが出される。これにより、ホストコントローラ３０２の指令により次のデータ転送が行われる。
【００３９】
このように、光ディスクドライブ部２００側でデータの受け入れを制限することで、図４に示すように、データ転送積算量は、時間Ｔの間は変化しない。従って、ホスト部３００から光ディスクドライブ部２００への実効的な転送レートを下げることが可能となる。
【００４０】
従って、転送するデータをある単位で分割して記録する場合に、光ディスクドライブ部２００側で記録命令に対する応答を遅延させることにより、実質的なデータ転送レートを抑制することが可能となる。これにより、光ディスクドライブ部２００側で任意の休止期間（時間Ｔ）を確保することができ、光ディスクドライブ部２００側から所望のデータ転送レートに制御することができる。
【００４１】
応答を遅延させる具体的手法として、例えば時間Ｔは、装置の温度上昇、消費電力増大を抑制するため、予め定められた固定値とすることができる。また、ホストコントローラ３０２による１回の記録命令に対するデータ転送時間を光ディスクドライブ部２００のマイクロコンピュータ２２０が計測し、計測した転送時間に基づいて、低消費電力に最も有利な比率のデータ受け入れ速度となるように、記録命令に対する応答の遅延時間Ｔを制御することもできる。この際、データ転送速度、データ転送量に応じて時間Ｔを制御することができる。データ転送速度、データ転送量が大きくなるほど、光ディスク４００への記録量が増加し、連続的な記録が必要となるため、データ転送速度、データ転送量が大きくなるほど、時間Ｔを長くすることが望ましい。これにより、確実に間欠記録を行うことができる。
【００４２】
また、遅延時間Ｔは、ドライブ６００，７００の種類に応じて可変しても良い。通常、ハードディスクからのデータ転送速度はメモリスティックからのデータ転送速度よりも大きいため、ドライブ６００からのデータ転送の場合は、ドライブ７００からのデータ転送に比べて時間Ｔを長く設定する。これにより、ハードディスクのドライブ６００から高い転送速度でデータが送られる場合においても、データ転送レートを抑えることができ、温度上昇を抑えるとともに消費電力の増大を抑止できる。
【００４３】
図５は、ホスト部３００への転送速度が比較的遅い記録メディアからホスト部３００へデータが転送される場合を示している。この場合、ホスト部３００がデータを受け取る速度自体が遅いため、非リアルタイム記録時においても、図５（Ａ）に示すように、ホスト部３００から光ディスクドライブ部２００へのデータ転送は間欠的に行われる。
【００４４】
図５（Ａ）は、遅延時間Ｔを設けていない場合を示している。この場合、コマンド実行の信号波形がハイになる毎にデータ転送が間欠的に実行される。データ転送が間欠的であるため、温度上昇は比較的発生し難く、消費電力も抑えられる。
【００４５】
図５（Ａ）の場合よりもデータ転送速度を低下させる場合は、図５（Ｂ）に示すように遅延時間Ｔを設ける。これにより、コマンド実行の波形の間隔は図５（Ａ）と同一であるが、データ転送が行われない期間が時間Ｔの分だけ長くなるため、実効的なデータ転送速度を低下させることができる。このように、データ転送速度が速い場合のみ遅延時間Ｔを挿入することも可能である。
【００４６】
以上説明したように本実施形態によれば、光ディスクドライブ部２００側からホスト部３００へのデータ転送が完了した後、光ディスクドライブ部２００からホスト部３００へ転送完了通知を送るタイミングを遅延させることで、データ転送の実効レートを低下させることができる。これにより、光ディスク４００へのデータ記録を間欠的に行うことが可能となり、連続記録による記録再生装置１００の温度上昇を抑えるとともに、消費電力を低減することが可能となる。
【００４７】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【００４８】
例えば、上述した実施形態では光ディスクドライブ部２００に転送データが送られる例を示したが、光ディスク４００以外の他の記録メディアに転送データを記録する際に、同様の手法で転送レートを下げることも可能である。また、ホスト部３００が送信する転送データについても、他の記録メディア送られるデータの他、撮像素子５００から送られるデータであっても良く、データ転送レートと記録の際の記録レートが比較的近い場合に広く適用することができる。
【図面の簡単な説明】
【００４９】
【図１】本発明の一実施形態に係る記録再生装置の構成を示すブロック図である。
【図２】非リアルタイム記録時における、データ量と時間との関係を示す特性図である。
【図３】光ディスクドライブ部側でホスト部からのデータの受け入れを制限する手法を説明するための模式図である。
【図４】光ディスクドライブ部側でホスト部からのデータの受け入れを制限する手法を説明するための模式図である。
【図５】ホスト部への転送速度が比較的遅い記録メディアからデータが転送される場合を示す模式図である。
【符号の説明】
【００５０】
１００    記録再生装置
２００    光ディスクドライブ部
２２０    マイクロコンピュータ
３００    ホスト部
３０２    ホストコントローラ
４００    光ディスク
【図１】
2009187629.tif 000003
【図２】
2009187629.tif 000004
【図３】
2009187629.tif 000005
【図４】
2009187629.tif 000006
【図５】
2009187629.tif 000007